(57)【要約】【課題】  ファクシミリ装置の通信管理レポートには、通信日時や通信先ファクシミリ番号などが記載されているものの、通信された画データに関する情報がないため、通信管理レポートの各通信データと通信された画データの関係を特定するのが困難であり、種々の不都合を生じていた。【解決手段】  送信機（ファクシミリ装置）１ａは、送信する画データに関する件名情報を、送信する受信命令信号１０１のＳＵＢフレーム１０１ｂに格納すると共に通信管理レポートに記載し、受信機（ファクシミリ装置）１ｂでは、この件名情報と対応する画データを、関連させて印刷し、或いは保存管理する。【選択図】        図３
2005340932.tif 000002
【特許請求の範囲】
【請求項１】
所定の通信制御手順に従ってデータを送信するデータ通信装置において、
送信する前記データに関する情報を入力するデータ情報入力手段と、
前記データ情報入力手段で入力された前記データに関する情報を前記通信制御手順に従って送信するデータ情報送信手段と
を有することを特徴とするデータ通信装置。
【請求項２】
送信する前記データは、画データであり、
前記データに関する情報は、前記画データに関する件名情報である
ことを特徴とする請求項１記載のデータ通信装置。
【請求項３】
前記データ情報入力手段は、前記データに関する情報を入力する操作パネルを含むことを特徴とする請求項１又は２のいずれかに記載のデータ通信装置。
【請求項４】
前記データ情報入力手段は、ネットワークを利用した電子メール通信が可能な手段から電子メール情報を受信し、前記電子メール情報の件名を前記データに関する情報として取得することを特徴とする請求項１又は２のいずれかに記載のデータ通信装置。
【請求項５】
前記データ通信装置は、ファクシミリ装置であり、
前記データ情報送信手段による前記データに関する情報の送信は、ＩＴＵ−Ｔ勧告Ｔ．３０のＳＵＢフレームを使用して行われることを特徴とする請求項１から４までのいずれかに記載のデータ通信装置。
【請求項６】
前記データ通信装置は、ファクシミリ装置であり、
前記データ情報送信手段による前記データ情報の送信は、ＩＴＵ−Ｔ勧告Ｔ．３０の非標準手順フレームを使用して行われることを特徴とする請求項１から４までのいずれかに記載のデータ通信装置。
【請求項７】
所定の通信制御手順に従ってデータを受信するデータ通信装置において、
前記通信制御手順に従って前記データに関する情報を受信するデータ情報受信手段と、
前記データ情報受信手段で受信された前記データに関する情報を記憶するデータ情報記憶手段と
を有することを特徴とするデータ通信装置。
【請求項８】
受信する前記データは、画データであり、
前記データに関する情報は、前記画データに関する件名情報である
ことを特徴とする請求項７記載のデータ通信装置。
【請求項９】
前記データ情報記憶手段により記憶された前記データに関する情報を印刷する印刷手段をさらに有することを特徴とする請求項７又は８のいずれかに記載のデータ通信装置。
【請求項１０】
前記印刷手段は、印刷用紙に印刷される受信画の前或いは後に、前記データに関する情報を印刷することを特徴とする請求項９記載のデータ通信装置。
【請求項１１】
前記印刷手段は、印刷用紙の任意の位置に、前記データ情報を印刷することを特徴とする請求項９記載のデータ通信装置。
【請求項１２】
前記印刷手段は、前記データ情報記憶手段に記憶された前記データに関する情報をバナーページとして印刷することを特徴とする請求項９記載のデータ通信装置。
【請求項１３】
受信する前記データを記憶する画データ記憶手段と、
前記データに関する情報を選択する選択手段とをさらに有し、
前記印刷手段は、前記選択手段で選択された前記データに関する情報に対応するデータを前記画データ記憶手段から読み出して、印刷する
ことを特徴とする請求項７から１２までのいずれかに記載のデータ通信装置。
【請求項１４】
受信する前記データに関する情報を特定する特定手段をさらに有し、
前記印刷手段は、前記特定手段で特定された前記データに関する情報に対応するデータを印刷することを特徴とする請求項７から１３までのいずれかに記載のデータ通信装置。
【請求項１５】
印刷後に前記画データ記憶手段に記憶された前記印刷されたデータを削除することを特徴とする請求項１３記載のデータ通信装置。
【請求項１６】
前記選択手段により、受信する前記データに関する情報から削除すべきデータに関する情報を選択し、
前記選択手段で選択された前記データに関する情報と、前記データに関する情報に対応する前記データを消去する
ことを特徴とする請求項１３記載のデータ通信装置。
【請求項１７】
時刻及び月日情報を計測する日時計測手段をさらに有し、
前記日時計測時間により所定時間の経過が計測されたときに、前記データ記憶手段に記憶された該当データを消去する
ことを特徴とする請求項１３記載のデータ通信装置。
【請求項１８】
前記画データ記憶手段に記憶されたデータの件数或いはデータ量が所定値を超える場合、古いものから順に前記件名情報及び該件名情報に対応する前記データを消去することを特徴とする請求項１３記載のデータ通信装置。
【発明の詳細な説明】
【技術分野】
【０００１】
本発明は、ファクシミリ装置等のデータ通信装置に関し、特に、そのデータ伝送時における伝送制御及び伝送後におけるデータの処理に関する。
【背景技術】
【０００２】
一般に、ファクシミリ装置は、通信履歴を格納する機能を持っている。通信履歴は、通信件数が予め設定された数に達したとき、或いはユーザ操作によって、通信管理レポートとして印刷することができる。通信履歴には、一般的に、通信時刻、通信した相手先のファクシミリ番号等の通信相手先情報、送信か受信かのモード情報、通信ページ数、及び通信が正常に実行されたか否かを示す通信結果情報等が含まれる（例えば、特許文献１参照）。
【０００３】
【特許文献１】特開平１１―６９０３２号公報（段落０００２、図５）
【発明の開示】
【発明が解決しようとする課題】
【０００４】
ファクシミリ装置においては、受信者が、何かの都合で、送信者に対して、送られてきた画データの再送信を要求する場合がある。従来のファクシミリ装置においては、再送信を要求する画データを送信者に連絡するときに、通信管理レポートに記録された通信日時を使用する場合が多かった。しかし、再送信を要求する画データの通信日時だけでは、画データを特定する情報としては不十分であり、連絡を受けた送信者が再送信すべき画データを誤って認識する場合があった。この場合には、送信者及び受信者の双方に混乱が生じ、ユーザに不便さを強いる状況が生じやすいという問題があった。
【０００５】
そこで、本発明は、上記したような従来技術の問題を解決するためになされたものであり、その目的は、データ送信時に、データの特定を容易かつ確実にする情報を付加することによって、また、データ受信時に、データの特定を容易かつ確実にする情報を記憶することによって、送信又は受信したデータの特定に関してユーザの利便性を向上させることができるデータ伝送装置を提供することにある。
【課題を解決するための手段】
【０００６】
本発明によるデータ通信装置は、所定の通信制御手順に従ってデータを送信する装置であって、送信する前記データに関する情報を入力するデータ情報入力手段と、前記データ情報入力手段で入力された前記データに関する情報を前記通信制御手順に従って送信するデータ情報送信手段とを有するものである。
【０００７】
また、本発明による他のデータ通信装置は、所定の通信制御手順に従ってデータを受信する装置であって、前記通信制御手順に従って前記データに関する情報を受信するデータ情報受信手段と、前記データ情報受信手段で受信された前記データに関する情報を記憶するデータ情報記憶手段とを有するものである。
【発明の効果】
【０００８】
本発明のデータ送信装置によれば、送信するデータの他に、送信するデータに関する情報をも送信するので、データに関する情報を用いて送信したデータを特定することにより、送信者及び受信者の双方においてデータを容易かつ確実に特定することができ、ユーザの利便性を向上させることができるという効果が得られる。
【発明を実施するための最良の形態】
【０００９】
実施の形態１．
図１は、本発明に基づく実施の形態１のファクシミリ装置１の要部構成を示すブロック図である。図１に示されるように、ファクシミリ装置１は、システムバス３に接続された中央演算装置であるＣＰＵ２、固定記憶装置であるＲＯＭ４、書き換え可能な記憶装置であるＲＡＭ５、読取装置６、印刷装置７、モデム８、操作パネル９、及びＮＣＵ（Ｎｅｔｗｏｒｋ  Ｃｏｎｔｒｏｌ  Ｕｎｉｔ）１０を有する。
【００１０】
ＲＯＭ４は、ＣＰＵ２によって実行されるプログラムを予め格納する。図１に示されるように、ＲＯＭ４に格納されるプログラム部には、読取制御部１１、印刷制御部１２、通信制御部１３、操作パネル制御部１４、及びレポート制御部１５が含まれる。ＲＯＭ４内の読取制御部１１は、読取装置６の制御を司るプログラム部であり、印刷制御部１２は、印刷装置７の制御を司るプログラム部であり、通信制御部１３は、モデム８とＮＣＵ１０の制御を司り、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ）勧告Ｔ．３０に従ってファクシミリ伝送制御手順を実行するプログラム部である。また、ＲＯＭ４内の操作パネル制御部１４は、操作パネル９の制御を司るプログラム部であり、レポート制御部１５は、通信管理レポート編集を実行し、印刷制御部１２に印刷起動を行うプログラム部である。
【００１１】
図１に示されるように、ＲＯＭ４内の印刷制御部１２は、件名情報を印刷するための編集や印刷を実行するプログラム部である件名印刷部１２ａと、印刷装置７による印刷動作を制御するプログラム部である画像印刷部１２ｂとを有する。
【００１２】
また、ＲＯＭ４内の通信制御部１３は、操作パネル制御部１４により制御される操作パネル９からユーザによって入力された件名情報をＲＡＭ５内の設定データ記憶部１７から取り出し、ＩＴＵ−Ｔ勧告Ｔ．３０に従ったファクシミリ伝送制御手順に基づいて相手先のファクシミリ装置に送信するプログラム部である件名送信部１３ａと、ＩＴＵ−Ｔ勧告Ｔ．３０に従ったファクシミリ伝送制御手順に基づいて相手先のファクシミリ装置から受信した件名情報をＲＡＭ５内のレポートデータ記憶部１８に格納するプログラム部である件名受信部１３ｂとを有する。
【００１３】
また、ＲＯＭ４内の操作パネル制御部１４は、操作パネル９を使用してユーザによる件名入力を実行するプログラム部である件名入力実行部１４ａと、この件名入力実行部１４ａによって入力した件名情報を設定データ記憶部１７に格納するプログラム部である件名入力格納部１４ｂと、操作パネル９の表示装置に受信した件名の一覧を表示し、印刷対象となる件名を選択するための情報をユーザに提供するプログラム部である件名選択部１４ｃとを有する。
【００１４】
ＲＡＭ５は、ＣＰＵ２によるプログラムの実行時に発生するデータなどを記憶する記憶装置である。図１に示されるように、ＲＡＭ５は、受信した画データなどを記憶する画データ記憶部１６と、ユーザが選択可能な設定データ（ダイヤル番号や後述する件名などのデータ）を記憶する設定データ記憶部１７と、通信管理レポートのデータを記憶するレポートデータ記憶部１８とを有する。
【００１５】
読取装置６は、ＣＣＤなどを利用したスキャナ装置であり、原稿を読取り、ドットイメージデータに変換する。
【００１６】
印刷装置７は、感熱記録方式又は電子写真方式などの各方式によって、ファクシミリ通信で受信した画データなどをハードコピーとして出力する。又、印刷装置７は、通信管理レポートなども出力する。
【００１７】
モデム８は、変／復調装置であり、ＩＴＵ−Ｔ勧告Ｔ．３０に従ったファクシミリ伝送制御手順に基づく手順データや画データを変／復調し、相手先のファクシミリ装置間とデータを交換する。ＮＣＵ１０は、網制御装置であり、モデム８と公衆交換電話網との接続及び開放を制御する。回線１９は、公衆電話網やローカル電話網などの交換回線網である。
【００１８】
操作パネル９は、液晶表示装置（ＬＣＤ）又はＣＲＴディスプレイなどの図示しない表示装置を備え、この表示装置によりファクシミリ装置１の状態などを表示すると共に、ファクシミリ装置１を操作するために必要な図示しない文字入力キー、ファンクションキー、カーソルキー、スタートキー、ダイヤルキーなどを備える。
【００１９】
以上の構成を有するファクシミリ装置１は、データ送信時に、ＣＰＵ２とＲＯＭ４の制御により、画データに関する件名情報を取得し、取得した件名情報をＩＴＵ−Ｔ勧告Ｔ．３０のファクシミリ伝送制御手順に従って画データと共に送信する。また、ファクシミリ装置１は、データ受信時に、ＣＰＵ２とＲＯＭ４の制御により、画データに関する件名情報をＩＴＵ−Ｔ勧告Ｔ．３０のファクシミリ伝送制御手順に従って画データと共に受信する。
【００２０】
次に、ファクシミリ装置１の動作を説明する。図２は、ファクシミリ装置１が実行するデータ送信時の操作手順を示すフローチャートである。図２に示されように、データ送信時においては、先ずユーザが、送信したい原稿を読取装置６にセットし（ステップＳ１１）、操作パネル９の図示しないファンクションキーを押下して各種選択項目から件名入力の項目を選択する（ステップＳ１２）。この時、操作パネル９の表示装置には件名入力を促す画像が表示され、ユーザは、操作パネル９の文字入力キーを使用して送信したい原稿に関する件名を入力する（ステップＳ１３）。入力された件名情報は、操作パネル制御部１４の件名入力格納部１４ｂによって設定データ記憶部１７に格納される。次にユーザは、操作パネル９を使用して送信する相手先の電話番号を指定し（ステップＳ１４）、操作パネル９のスタートキーを押下して送信の開始を起動してこの送信操作を終了する（ステップＳ１５）。以上に述べた操作手順後、ファクシミリ装置１は、後述する伝送制御処理を実行することで、ユーザが指定した相手先に、セットした原稿の画データ、入力した件名情報、及びその他の情報を送る。また後述するように、自機のレポートデータ記憶部１８に、送信履歴と共に件名情報も格納する。
【００２１】
図３は、通信制御部１３が、ＩＴＵ−Ｔ勧告Ｔ．３０に従って行うファクシミリ伝送制御処理手順のシーケンスを説明するためのシーケンス図である。以下に図３に基づいて、ファクシミリ伝送制御処理手順について説明する。図３に示す例は、ＩＴＵ−Ｔ勧告Ｔ．３０におけるフェーズＢからフェーズＣを示したものである。フェーズＢとは、プリメッセージ手順のことであり、能力の識別と適当なモード命令を行うフェーズである。フェーズＣとは、インメッセージ手順のことであり、メッセージ伝送を行うフェーズである。尚、ここでは送信機側として伝送制御処理を実行するファクシミリ装置１を符号１ａで示し、受信機側として伝送制御処理を実行するファクシミリ装置１を符号１ｂで示している。
【００２２】
送信機側のファクシミリ装置（以下、単に「送信機」とも言う）１ａと受信機側のファクシミリ装置（以下、単に「受信機」とも言う）１ｂとが電話回線により接続されると、ファクシミリ伝送制御処理手順に従い、被呼局の受信機１ｂから発呼局の送信機１ａに対して初期識別信号１００が送られる。この初期識別信号１００には、非標準機能識別信号ＮＳＦ、被呼端末識別信号ＣＳＩ、及びディジタル識別信号ＤＩＳが含まれる。初期識別信号１００を受けると、ファクシミリ伝送制御処理手順に従い、送信機１ａから受信機１ｂに受信命令信号１０１が送られる。受信命令信号１０１には、送信端末識別信号ＴＳＩ、サブアドレスＳＵＢ、及びディジタル命令信号ＤＣＳが含まれる。送信機１ａは、操作パネル１４から入力された送信する画データに関する件名情報を、設定データ記憶部１７から取り出し、これを上記サブアドレスＳＵＢのフレームに格納して、受信機１ｂに送ることで件名情報を伝達する。
【００２３】
図４は、受信命令信号１０１の伝送フレームの構成図である。図４に示すように、受信命令信号１０１は、ＩＴＵ−Ｔ勧告Ｔ．３０に準じたフォーマットで、送信端末識別信号ＴＳＩ、サブアドレスＳＵＢ、及びディジタル命令信号ＤＣＳを含み、前記したファクシミリ伝送制御手順で送信される。送信端末識別信号ＴＳＩ、サブアドレスＳＵＢ、及びディジタル命令信号ＤＣＳは、ＴＳＩフレーム１０１ａ、ＳＵＢフレーム１０１ｂ、及びＤＣＳフレーム１０１ｃを構成し、ＳＵＢフレーム１０１ｂには、件名送信部１３ａによって、件名情報が格納される。
【００２４】
受信機１ｂは、信号受信命令信号１０１を受けて、受信準備完了信号ＣＦＲを含むプリメッセージ応答信号１０２を送り、送信機１ａは、このプリメッセージ応答信号１０２を受けて画データを含むインメッセージ信号１０３を送信する。
【００２５】
図５は、件名送信部１３ａが図３のシーケンスによるファクシミリ伝送制御処理で実行する件名情報の送信手順を示すフローチャートである。件名送信部１３ａは、ファクシミリ装置１が送信機１ａの立場にあって、図３のシーケンスにおける受信命令信号１０１の送信を実行する際にこのフローを実行する。図５に示されるように、先ず設定データ記憶部１７に件名情報が記憶されているか否かを判断する（ステップＳ２１）。ここで件名情報が記憶されていない場合には件名送信は行わずにこの処理を終了するが、件名情報が記憶されている場合、受信機１ｂから受信した初期識別信号１００をチェックし、この受信機１ｂにＳＵＢフレームの受信能力があるか否かを判断する（ステップＳ２２）。尚、設定データ記憶部１７の件名情報は、送信の終了によりクリアされる。
【００２６】
この受信能力の判定は、初期識別信号１００中のディジタル識別信号ＤＩＳをチェックすることにより判断でき、能力なし（Ｎｏ）と判断した場合は、件名送信は行わずにこの処理を終了するが、能力ありと判断した場合は、設定データ記憶部１７から件名情報を取り出し（ステップＳ２３）、更に取り出した件名情報を後述するレポートデータ記憶部１８のサブジェクト部、及び図４に示すＳＵＢフレーム１０１ｂに格納し（ステップＳ２４）、この件名送信のフローを終了する。件名送信部１３ａは、この件名送信のフローを終了すると制御を通信制御部１３に引渡し、通信制御部１３によってこのＳＵＢフレームを相手の受信機１ｂに送信する。
【００２７】
図６は、件名受信部１３ｂが実行する件名情報の受信手順を示すフローチャートである。件名受信部１３ｂは、ファクシミリ装置１が受信機１ｂの立場で、図３のシーケンスにおける受信命令信号１０１の受信の際にこのフローを実行する。図６に示されるように、先ず、送信機１ａから受信した受信命令信号１０１にＳＵＢフレーム１０１ｂ（図４）が存在するか否かを判断する（ステップＳ３１）。このＳＵＢフレーム１０１ｂの存在は、信号受信命令信号１０１の中のＦＣＦ（Ｆａｃｓｉｍｉｌｅ  Ｃｏｎｔｒｏｌ  Ｆｉｅｌｄ）により判断できる。ここで存在しない（Ｎｏ）と判断した場合は、件名格納は行わずに処理を終え、存在する（Ｙｅｓ）と判断した場合は、ＳＵＢフレーム１０１ｂから件名情報を取り出し（ステップＳ３２）、取り出した件名情報を後述するレポートデータ記憶部１８のサブジェクト部に格納し（ステップＳ３３）、この件名受信のフローを終了する。
【００２８】
図７は、図１のレポートデータ記憶部１８に記憶されるデータ構成を示す図である。図７に示されるように、レポートデータ記憶部１８は、ファクシミリ装置１の通信の履歴である通信管理レポートの各記録データ、即ち通信した日時、上記した件名情報（サブジェクト）、電話番号など通信相手先の情報（ＩＤ）、送信（ＴＸ）か受信（ＲＸ）か等の通信モード情報（モード）、通信したページ数（ページ）、正常に通信されたかを示す通信結果（結果）の各項目を、通信が実行される毎に記憶する。そのため、ＡからＥまでの番地毎に、通信日時を文字列でメモリする日時部、件名情報を文字列でメモリするサブジェクト部、通信相手先の情報を文字列でメモリするＩＤ部、通信したモードを文字列でメモリするモード部、通信したページ数を文字列でメモリするページ部、通信結果を文字列でメモリする結果部が確保されている。このレポートデータ記憶部１８への記憶、読み出しは、レポート制御部１５によって管理実行される。図７には、時刻２３：５９の送信がＡ番地に、時刻００：００の受信がＢ番地に、時刻００：０５の受信がＣ番地に、そして時刻００：１０の件名情報のない受信がＤ番地に記憶されている状態を示す。
【００２９】
図８は、レポート制御部１５が実行する通信管理レポートの印刷手順を示すフローチャートである。レポート制御部１５は、ユーザが操作パネル９のファンクションキーを押下することで各種選択項目からレポート印刷の項目を選択し、印刷を起動したときにこのフローを実行する。図８に示されるように、先ずレポートデータ記憶部１８から通信レポートデータを取り出し（ステップＳ４１）、取り出した通信レポートデータをビットマップデータに変換する（ステップＳ４２）。そして、このビットマップデータを印刷制御部１２に引渡して印刷を起動し（ステップＳ４３）、このレポート印刷のフローを終了する。
【００３０】
図９は、このようにして印刷された通信管理レポート５１のフォーマットを示す図である。同図において、「日時」は通信した月日及び時分情報を示し、「サブジェクト」は通信した件名を示し、「ＩＤ」は通信した電話番号等の相手先情報を示し、「モード」は通信内容が送信（ＴＸ）か受信（ＲＸ）かを示し、「ページ」は通信したページ数を示し、「結果」は通信が正常に実行されたかどうかを示す。
【００３１】
尚、実施の形態１では、ＩＴＵ−Ｔ勧告Ｔ．３０の標準手順による件名情報の伝達を説明したが、本発明をＩＴＵ−Ｔ勧告Ｔ．３０の非標準手順（ＮＳＳ信号などを使用した手順）に適用することも可能であり、更に、２バイトコードを伝達することで日本語（ひらがな、漢字）などを表示することも可能である。
【００３２】
また、図１０は、実施の形態１におけるファクシミリ装置の変形例の構成を示すブロック図である。図１０に示されるファクシミリ装置は、ネットワーク７２によってメールの送受信可能なパソコン７１に、ネットワークカード７０を介して接続され、ＲＯＭ４に、パソコン７１で受信し或いは作成したメールデータの件名情報を読み込んでＲＡＭ５の設定データ記憶部１７（図１）に格納するプログラム部である件名読取部５６を新たに追加した構成となっている。
【００３３】
そして、図１０に示されるファクシミリ装置が、パソコン７１で受信し或いは作成したメールデータを他のファクシミリ装置に送信する場合は、送信機として、ＩＴＵ−Ｔ勧告Ｔ．３０に従うファクシミリ伝送制御手順に従って、メールデータの件名情報及び画データとしてのメール本文を受信機に送信する。また、前記した受信機として、パソコン７１のメールデータを処理することも可能である。
【００３４】
以上のように、実施の形態１のファクシミリ装置によれば、通信管理レポートにサブジェクト（件名）を表示することで、送信者と受信者の間で、ファクシミリ通信の問合せをする際、サブジェクト（件名）をもとにファクシミリ通信を特定することが可能になり、問合せが明確にできるため、利便性と信頼性を向上させることができる。
【００３５】
実施の形態２．
本発明に基づく実施の形態２のファクシミリ装置は、主に画データ受信後の印刷処理を特徴とするものである。実施の形態２の印刷処理は、実施の形態１で説明したファクシミリ装置１において実施されるものとする。従って、実施の形態２においては、図１をも参照する。以下に、主に印刷制御部１２によって行われる印刷処理を中心に、その内容について説明する。
【００３６】
実施の形態２では、ファクシミリ装置１は、図３に示した受信機１ｂの立場で動作し、実施の形態１で説明したように送信機１ａからの受信到来により、通信制御部１３を起動してファクシミリ伝送制御手順を実行する。この時、通信制御部１３は、前記したように件名情報をレポートデータ記憶部１８のサブジェクト（Ｓｕｂｊｅｃｔ）部（図７）に格納する。
【００３７】
図１１は、実施の形態２の印刷制御部１２による受信データ印刷処理の手順を示すフローチャートである。図１１のフローは、例えば、図３に示すシーケンス図において、受信機１ｂが送信機１ａから送信されるインメッセージ信号１０３を受けて実行される。図１１に示されるように、実施の形態２の印刷制御部１２による受信データ印刷処理においては、先ずＲＡＭ５のレポートデータ記憶部１８のサブジェクト部（図７）に件名情報が記憶されているか否かを判断する（ステップＳ５１）。ここで、件名情報が記憶されている場合には、レポートデータ記憶部１８のサブジェクト部から件名情報を取り出し（ステップＳ５２）、この取り出した件名情報をビットマップイメージに変換し（ステップＳ５３）、件名情報のビットマップイメージを印刷装置７に引渡して後述するレイアウトで印刷し（ステップＳ５４）、その後、受信された画データを、印刷制御部１２の画像印刷部１２ｂの制御に基づいて印刷装置７によって印刷する（ステップＳ５５）。一方、ステップＳ５１で、件名情報が記憶されていないと判断された場合、件名印刷処理（ステップＳ５２〜ステップＳ５４）を行わずに、受信した画データを印刷する（ステップＳ５５）。
【００３８】
図１２は、図１１に示す受信データ印刷処理のフローによって、所定のフォーマットによって用紙に印刷された受信画５２のレイアウトを示す図である。図１２に示すように、件名情報は、例えば、受信した画データを印刷した受信画領域５２ｂの前（紙面の先端方向）に確保された件名印刷領域５２ａに印刷される。
【００３９】
尚、実施の形態２では、件名印刷を行った後、受信した画データの印刷を開始することで、受信画の前に件名を印字した例を説明したが、受信画の後、或いは受信画の中、といったように、受信画に対して任意の位置に件名を印字することも可能である。又、記録紙サイズ内に収めるよう印字長を縮小して印字することも可能である。
【００４０】
また、実施の形態２では、件名印刷を行った後、受信画の印刷を開始することで、受信画の前に件名を印字した例を説明したが、件名を受信画には付加せず、バナーページ（ファクシミリ通信の単位を区切る先頭又は終了頁）に件名を印刷することも可能である。
【００４１】
以上のように、実施の形態２によるファクシミリ装置によれば、印刷用紙の所定位置（例えば、用紙の先端部分）に受信画の内容を特定可能にする件名（サブジェクト）を印字するように構成したので、ファクシミリ装置による受信者は、受信画が印刷された用紙が何に関する書類（例えば、件名）であるかを迅速かつ容易に把握することができる。このため、受信画が印刷された用紙が重なって受信トレーに積載されている場合であっても、ファクシミリ通信の区切りを容易に認識することができ、誤って他人宛の受信画印刷物を持ち帰るといった状況の発生頻度を減らすことができ、その結果、紛失文書を低減できる。
【００４２】
実施の形態３．
本発明に基づく実施の形態３のファクシミリ装置は、主に画データ受信後の印刷処理を特徴とするものである。実施の形態３における印刷処理は、実施の形態１で説明したファクシミリ装置１において実施されるものとする。従って、実施の形態３の説明においては、図１をも参照する。以下に、主に通信制御部１３で行われるデータ受信処理、及び、印刷制御部１２及び操作パネル制御部１４の件名選択部１４ｃによって行われる選択印刷処理を説明する。
【００４３】
実施の形態３では、ファクシミリ装置１は、図３に示した受信機１ｂの立場で動作し、実施の形態１で説明したように送信機１ａからの受信到来により、通信制御部１３を起動してファクシミリ伝送制御手順を実行する。この時、通信制御部１３は、前記したように件名情報をレポートデータ記憶部１８のサブジェクト部（図７）に格納する。そして、実施の形態３では、受信データはいったんメモリに格納され、通信制御部１３と操作パネル制御部１４において後述するプログラムが実行されたときに印刷を開始する。
【００４４】
図１３は、実施の形態３の通信制御部１３による受信データ格納処理の手順を示すフローチャートである。また、図１４は、実施の形態３でのレポードデータ記憶部１８の構成図である。図１３のフローは、例えば、図３に示すシーケンス図において、受信機１ｂが送信機１ａから送信される受信命令信号１０１を受けた後に実行される。図１３に示されるように、先ず、送信機１ａから受信した受信命令信号１０１にＳＵＢフレーム１０１ｂが存在するか否かを判断する（ステップＳ６１）。このＳＵＢフレーム１０１ｂの存在は、ＦＣＦにより判断できる。ここで存在しない（Ｎｏ）と判断した場合は、印刷制御部１２の画像印刷部１２ｂによって、その後受信される受信画を印刷する（ステップＳ６５）。
【００４５】
一方、ステップＳ６１において存在する（Ｙｅｓ）と判断された場合、ＳＵＢフレーム１０１ｂ（図４）から件名情報を取り出し、且つ取り出した件名情報を図１４に示すレポートデータ記憶部１８のサブジェクト部に格納すると共に（ステップＳ６２）、その後受信される画データをＲＡＭ５の画データ記憶部１６に格納する（ステップＳ６３）。更に、対応する件名情報とこの時受信した画データのリンクをとる必要があるため、受信した画データを画データ記憶部１６に格納したアドレスを、レポートデータ記憶部１８のアドレス部（図１４）に書き込む（ステップＳ６４）。
【００４６】
図１４に示すように、実施の形態３におけるレポードデータ記憶部１８の構成は、実施の形態１で説明した図７に示す同構成に加え、サブジェクト部に格納された件名情報に対応して受信されて画データ記憶部１６に記憶される画データのアドレスを格納するアドレス部を確保している。
【００４７】
図１５は、実施の形態３において、上記のようにして画データ記憶部１６に記憶される画データから、所望の画データを印刷するためのユーザによる操作の手順を示すフローチャートである。図１のブロック図を参照しながら、図１５の印刷操作手順のフローを説明する。例えば、ファクシミリ装置１の稼動時であれば、いつでも実施可能な状態とされ、先ずユーザが操作パネル９の図示しないファンクションキーを押下することによって、各種選択項目から件名選択の項目を選択する（ステップＳ７１）。このとき、操作パネル９の表示装置には、後述するように、レポートデータ記憶部１８に格納された図１４に示す通信管理レポートのうち、対応して受信した画データが画データ記憶部１６に記憶された件名情報を持つレポートデータのみが図１７に示す操作ガイドパネル５５として表示される。操作者は、この操作ガイドパネル５５に表示された件名（サブジェクト）を参照しながら、印刷したい画データを選択し（ステップＳ７２）、選択した画データの印刷を実行するための印刷スタートキーを押下する（ステップＳ７３）。
【００４８】
ファクシミリ装置１は、指定された画データの印刷を実行した後、画データ記憶部１６に記憶されている画データのうち、印刷済みの画データを消去すると共に、レポートデータ記憶部１８に格納されたアドレスも消去する。尚、この時点で、図１７に示す操作ガイドパネル５５から、印刷のために選択されたレポートデータが自動的に削除される。
【００４９】
図１６は、図１５のフローチャートの手順でユーザによる件名選択操作が実行された際に、ファクシミリ装置１の件名選択部１４ｃで実行される件名選択処理手順を示すフローチャートである。この件名選択部１４ｃによる処理は、例えばユーザによって操作パネル９の図示しないファンクションキーが押下され、各種選択項目から件名選択の項目が選択されたときに、実行される。図１６に示されるように、先ず、図１４に示す内容の通信レポートデータを記憶するレポートデータ記憶部１８から、そのアドレス部にアドレスが書き込まれている通信レポートデータのみを取り出す（ステップＳ８１）。次に、パネル９の表示装置に取り出した通信レポートデータを表示する（ステップＳ８２）。図１７は、このとき表示装置に表示される通信レポートデータを含む操作ガイドパネル５５の構成を示す。このガイドパネル５５中の各項目のうち、「プリント」はカーソルキー操作によってカーソル「⇒」が上下移動するための列を示し、「日時」は通信した月日及び時分を示し、「サブジェクト」は通信した件名を示し、「ＩＤ」は通信した相手先のファックス番号等の情報を示し、「モード」は通信したモード、即ち送信か受信かを示し、「ページ」は通信したページ数を示し、そして「結果」は通信が正常に行われたか否かの通信結果を示す。
【００５０】
これによりユーザは、この操作ガイドパネル５５に表示された件名（サブジェクト）を参照しながら、カーソルキーでカーソル「⇒」を上下移動して印刷したい件名の列を任意（複数も可）に選択し、更に前記したように選択した件名に対応して受信した画データの印刷を実行するための印刷スタートキーを押下する。
【００５１】
件名選択部１４ｃは、これらの選択及びスタートキー押下による印刷操作が実行されたか否かを監視する（ステップＳ８３）。ここで印刷操作が実行された場合、レポートデータ記憶部１８のアドレス部（図１４）に格納されたアドレスに基づいて、選択された件名に対応して受信された画データを画データ記憶部１６から読み出し（ステップＳ８４）、獲得した画データを印刷制御部１２に引渡して印刷処理を起動する（ステップＳ８５）。その後、画データ記憶部１６から印刷のために引き出した画データを消去し（ステップＳ８６）、件名選択処理を終了する。尚、ステップ８６で消去された画データに対応する通信レポートデータは、図１７に示す操作ガイドパネル５５の表示内容から自動的に削除される。一方、ステップＳ８３で、ユーザによる前記した印刷操作が、例えば所定時間にわたって実行されないと判断した場合は、そのままこの件名選択処理を終了する。
【００５２】
尚、実施の形態３では、印刷したい所望の件名を選択し、印刷を実行した後に、印刷した画データを消去する場合を説明したが、ユーザによる操作パネルからの消去指示により、任意にこれらを消去するようにしてもよいし、タイマやカレンダなどを利用して、保存期間が一定期限（例えば１０日間）経過した画データを自動的に消去することも可能である。更に、画データ記憶部１６に保存する画データのデータ量が所定の容量を超えた場合、保存の古いものから順に画データを消去することも可能である。尚、タイマやカレンダ、更にはデータ量に基づいてデータを消去する場合は、印刷を実行した後に消去することが好ましい。
【００５３】
また、図１８に、実施の形態３における他の例のフローチャートを示す。ここでは、図１３に示すフローにおけるステップＳ６２とステップＳ６３の間にステップＳ６２−１が追加されている。このステップＳ６２−１では、予め入力した件名文字列と、ステップＳ６２で格納した件名情報が一致するか否かを判断し、一致している場合、その後受信される画データを印刷し（ステップＳ６５）、一致しない場合は、ステップＳ６３でその後受信される画データをＲＡＭ５の画データ記憶部１６に格納するようにしている。即ち、図１８の例では、受信に先立って、予め、印刷させたい件名文字列を登録できるようにし、ＳＵＢフレーム１０１ｂ（図４）が存在する場合において、前記件名文字列と一致した件名情報を受信した場合に限り、その画データを直接印刷するようにしている。
【００５４】
以上のように、実施の形態３のファクシミリ装置によれば、受信し保存された画データのうち、受信該当者が件名を確認しながら必要な受信画データのみを印刷して持ち帰ることができるため、受信該当者による余分な持ち帰りが防止でき、紛失文書が低減できる。また、ダイレクトメールなどの不必要な印刷を避けることもできるため、記録紙や消耗品の浪費が低減できる。
【００５５】
尚、前記した実施の形態１〜３においては、ファクシミリ装置の例を示したが、本発明のデータ伝送が適用できる装置はファクシミリ装置に限定されるものではなく、データ送信機能又はデータ受信機能を有するファクシミリ装置以外のデータ伝送装置（例えば、電子メール送受信装置）にも適用することが可能である。電子メール送受信装置の場合には、例えば、電子メール送信前に、送受信装置間で通信のネゴシエーションを行い、その時に送ろうとする電子メールの件名情報、即ちユーザ情報、時間情報、ファイル情報等の送信メールを特定できる情報をやり取りするなどの伝送制御手順を採用すればよい。
【００５６】
また、前記した実施の形態１〜３においては、ファクシミリ装置の例を示したが、本発明の印刷制御が適用できる装置はファクシミリ装置に限定されるものではなく、データ受信機能及び印刷機能を有するファクシミリ装置以外のデータ伝送装置（例えば、ネットワーク経由で受信したデータを印刷できるプリンタ装置など）にも適用することが可能である。プリンタ装置の場合には、ＬＯＧ機能を利用して、受信データに関する件名情報又はプリントアウトの履歴情報を記録し、この記録された件名情報を利用して印刷制御を行うことができる。
【図面の簡単な説明】
【００５７】
【図１】本発明に基づく実施の形態１のファクシミリ装置の要部構成を示すブロック図である。
【図２】実施の形態１のファクシミリ装置が実行するデータ送信時の操作手順を示すフローチャートである。
【図３】図１の通信制御部が、ＩＴＵ−Ｔ勧告Ｔ．３０に従って行うファクシミリ伝送制御処理手順のシーケンスを説明するためのシーケンス図である。
【図４】図３の受信命令信号の伝送フレームの構成図である。
【図５】図１の件名送信部が実行する件名情報の送信手順を示すフローチャートである。
【図６】図１の件名受信部が実行する件名情報の受信手順を示すフローチャートである。
【図７】図１のレポートデータ記憶部に記憶されるデータ構成を示す図である。
【図８】図１のレポート制御部が実行する通信管理レポートの印刷手順を示すフローチャートである。
【図９】図８の印刷手順により印刷された通信管理レポートのフォーマットを示す図である。
【図１０】実施の形態１のファクシミリ装置の別の構成例を示すブロック図である。
【図１１】本発明に基づく実施の形態２のファクシミリ装置における印刷制御部による受信データ印刷処理の手順を示すフローチャートである。
【図１２】図１１に示す受信データ印刷処理のフローによって、所定のフォーマットによって印刷された受信画印刷のレイアウトを示す図である。
【図１３】本発明に基づく実施の形態２のファクシミリ装置における通信制御部による受信データ格納処理の手順を示すフローチャートである。
【図１４】本発明に基づく実施の形態３のファクシミリ装置におけるレポードデータ記憶部に記憶されるデータ構成を示す図である。
【図１５】実施の形態３のファクシミリ装置における画データ記憶部に記憶される画データから、所望の画データを印刷するための操作の手順を示すフローチャートである。
【図１６】ユーザによる件名選択操作が実行された際に、件名選択部で実行される件名選択処理手順を示すフローチャートである。
【図１７】表示装置に表示される通信レポートデータを含む操作ガイドパネルの構成を示す図である。
【図１８】実施の形態３における別の実施例のフローチャートである。
【符号の説明】
【００５８】
１  ファクシミリ装置、
１ａ  ファクシミリ装置（送信機）、
１ｂ  ファクシミリ装置（受信機）、
２  ＣＰＵ、
３  システムバス、
４  ＲＯＭ、
５  ＲＡＭ、
６  読取装置、
７  印刷装置、
８  モデム、
９  操作パネル、
１０  ＮＣＵ、
１１  読取制御部、
１２  印刷制御部、
１２ａ  件名印刷部、
１２ｂ  画像印刷部、
１３  通信制御部、
１３ａ  件名送信部、
１３ｂ  件名受信部、
１４  操作パネル制御部、
１４ａ  件名入力実行部、
１４ｂ  件名入力格納部、
１４ｃ  件名選択部、
１５  レポート制御部、
１６  画データ記憶部、
１７  設定データ記憶部、
１８  レポートデータ記憶部、
１９  回線、
５１  通信管理レポート、
５２  受信画印刷、
５５  表示操作ガイド、
５６  件名読取部、
７０  ネットワークカード、
７１  パソコン、
７２  ネットワーク、
１００  初期識別信号、
１０１  受信命令信号、
１０１ａ  ＴＳＩフレーム、
１０１ｂ  ＳＵＢフレーム、
１０１ｃ  ＤＣＳフレーム、
１０２  プリメッセージ応答信号、
１０３  インメッセージ信号。
【図１】
2005340932.tif 000003
【図２】
2005340932.tif 000004
【図３】
2005340932.tif 000005
【図４】
2005340932.tif 000006
【図５】
2005340932.tif 000007
【図６】
2005340932.tif 000008
【図７】
2005340932.tif 000009
【図８】
2005340932.tif 000010
【図９】
2005340932.tif 000011
【図１０】
2005340932.tif 000012
【図１１】
2005340932.tif 000013
【図１２】
2005340932.tif 000014
【図１３】
2005340932.tif 000015
【図１４】
2005340932.tif 000016
【図１５】
2005340932.tif 000017
【図１６】
2005340932.tif 000018
【図１７】
2005340932.tif 000019
【図１８】
2005340932.tif 000020